(57)【要約】      （修正有）【課題】網ひびの自己乾燥と自動浸水を行うことができ、労働強度と養殖コストが低減され、海苔の品質が向上する海苔養殖用自己乾燥装置を提供する。【解決手段】海苔養殖用自己乾燥装置は、中空棒６と、浮遊棒８とを含み、中空棒６の一端は浮遊棒８の中間部と垂直に固定連結され、中空棒６の他端には棒体の円周方向に沿って均一に多数の安定した中空棒６の尾翼１５が設けられ、尾翼１５と浮遊棒８間の中空棒６の上方に大きな浮具７が被せられ、大きな浮具７と浮遊棒８の両端間に引張ロープ１２が設けられ、中空棒６内に棒体の軸線に沿って大きな浮具７と共に浮遊棒８を引き上げる乾燥ルートケーブル１０が貫通して設けられる。また、前記海苔養殖用自己乾燥装置は、潮差自己乾燥式全浮動（full-floating）海苔養殖装置に含まれる。【選択図】図２
0003211403.tif 000002
【実用新案登録請求の範囲】
【請求項１】
中空棒と、浮遊棒とを含み、前記中空棒の一端は前記浮遊棒の中間部と垂直に固定連結され、前記中空棒の他端には棒体の円周方向に沿って均一に多数の安定した中空棒の尾翼が設けられ、前記尾翼と浮遊棒間の中空棒の上方に大きな浮具が被せられ、前記大きな浮具と浮遊棒の両端間に引張ロープが設けられ、前記中空棒内に棒体の軸線に沿って前記大きな浮具と共に前記浮遊棒を引き上げる乾燥ルートケーブルが貫通して設けられる
ことを特徴とする海苔養殖用自己乾燥装置。
【請求項２】
前記中空棒の棒体は、プラスチック内管と、前記プラスチック内管の外に複合させた複合材料外管とから構成され、前記プラスチック内管と複合材料外管間に泡沫層が設けられ、前記中空棒の両端に通孔を有するパイププラグが設けられる
請求項１に記載の海苔養殖用自己乾燥装置。
【請求項３】
前記尾翼の外端の中空棒に前記中空棒の尾部及び尾翼を挿入する第１ロッククランプが設けられ、前記浮遊棒の両側の中空棒に前記浮遊棒及び中空棒の頭部を挿入する第２ロッククランプが設けられる
請求項１に記載の海苔養殖用自己乾燥装置。
【請求項４】
前記大きな浮具の両端の中空棒に前記大きな浮具の位置を調節する位置固定クランプが設けられ、前記位置固定クランプと大きな浮具間に遮断板が設けられ
請求項１に記載の海苔養殖用自己乾燥装置。
【請求項５】
前記浮遊棒に均一に多数の設置孔が設けられる
請求項１に記載の海苔養殖用自己乾燥装置。
【請求項６】
前記大きな浮具には前記大きな浮具が分散することを防止する網スリーブが被せられている
請求項１に記載の海苔養殖用自己乾燥装置。
【請求項７】
前記引張ロープが対称に設けられる
請求項１に記載の海苔養殖用自己乾燥装置。
【請求項８】
多数の横浮遊ロープと縦浮遊ロープとから構成された養殖網を含み、各前記縦浮遊ロープに多数の小さな浮具が設けられ、隣接する前記縦浮遊ロープ間に列間隔に応じて乾燥装置グループと網ひびグループが設けられ、各列の前記網ひびグループは前記横浮遊ロープと縦浮遊ロープに固定された多数の網ひびグループで構成され、各列の前記乾燥装置グループは多数の請求項１ないし７のいずれかに記載の海苔養殖用自己乾燥装置で構成され、
各前記自己乾燥装置の浮遊棒は締付装置により前記横浮遊ロープに固定され、前記養殖網の周囲の横浮遊ロープと縦浮遊ロープには多数の養殖網ルートケーブルが設けられる
ことを特徴とする潮差自己乾燥式全浮動海苔養殖装置。
【請求項９】
前記養殖網の隣接する前記横浮遊ロープの間隔は８〜１０ｍであり、各列の前記乾燥装置グループの両側の縦浮遊ロープの間隔は３〜５ｍであり、各列の前記網ひびグループの両側の縦浮遊ロープの間隔は８〜１０ｍである
請求項８に記載の潮差自己乾燥式全浮動海苔養殖装置。
【請求項１０】
養殖装置が上昇海流の逆流に沿って海水面に配置され、前記自己乾燥装置の浮遊棒が波に耐えられるように設けられ、前記養殖網の周囲及び自己乾燥装置の下方の海底に固定杭が設けられ、前記養殖網ルートケーブルが前記養殖網の下方の固定杭に固定され、前記自己乾燥装置の下方の固定杭に通孔が設けられ、前記通孔内を前記養殖網の横浮遊ロープと平行に設けられた保管ロープが貫通し、前記自己乾燥装置のうち尾翼の外端の乾燥ループケーブルと保管ロープが連結され、予め乾燥ループケーブルと保管ロープの長さを調整しておき、満潮時に前記中空棒が尾翼と引張ロープの作用下で安定性を維持し、満ち潮が来るときの浮力と波の衝撃作用下で前記中空棒の大きな浮具が押され、前記尾翼の一端の中空棒が水中の前記乾燥ルートケーブルにより引っ張られ、波が続けて前記中空棒の大きな浮具に衝撃を与えて浮遊させ、前記大きな浮具が上昇することにより前記浮遊棒の一端の中空棒を支えて前記浮遊棒及び養殖網が持ち上げられ、前記網ひびもそれに伴って上昇することにより水から遠ざかり、干潮時には、前記大きな浮具は引き潮と波の衝撃圧力下で下に向かって運動し、前記尾翼の一端の中空棒が相対的に浮遊し、前記浮遊棒及び養殖網は前記中空棒の支えがなくなり、前記網ひびは浸水し、
請求項１ないし７のいずれかに記載の海苔養殖用自己乾燥装置又は請求項８または９に記載の潮差自己乾燥式全浮動海苔養殖装置を採用する
ことを特徴とする潮差自己乾燥式養殖方法。
【考案の詳細な説明】
【技術分野】
【０００１】
本考案は海苔養殖技術に関し、特に海苔養殖用自己乾燥装置、養殖装置及び潮差自己乾燥方法に関する。
【背景技術】
【０００２】
近海の汚染の深刻化により養殖強度が高まるにつれて栄養素が不足し、海苔の枯れ病や腐れ病が引き続き増加すると共に、海岸や港の建設需要も高まってきており、近海養殖を行うことは難しくなってきている。潮間帯での半浮動（half-floating）海苔養殖から棒挿入式海苔養殖に発展し、使用初期には７〜８ｍであった支持棒が１６〜１７ｍとなり、毎年養殖区域が深海、外海に広がっている。しかし、支持棒は長さや強度に限界があるので、より深い海域では用いることができない。
【０００３】
従来の全浮動（full-floating）いかだ式海苔養殖方法には、Ｕ字状全浮動いかだ乾燥養殖方法、三角フレーム式全浮動いかだ乾燥養殖方法及びターンオーバー式（turnover type）全浮動いかだ乾燥養殖方法があるが、これらの方法には次のような多くの欠点がある。第一に、前記養殖方法は、全て人工操作を必要とするので、労働強度が高く、海上作業が難しく、乾燥時間にも人為的な制御が必要であり、直ちに制御することが難しく、海苔の成長に影響を及ぼすことがある。第二に、風浪に対する耐性が劣る。人工で操作する乾燥装置は海苔養殖区域の浮遊ロープに固定するが、海苔養殖場全体が浮遊しており、それ自体は海底に連結固定されていない。海苔養殖場のルートケーブル（root cable）に対する衝撃荷重は非常に大きいので、風浪に対する耐性が劣らざるを得ない。また、人工操作乾燥の浮動いかだは、網ひびを支える際に網ひびの両端のみ支えるので、浮動いかだの二地点にかかる力が不安定であり、風浪の衝撃を受けると転覆したり傾きやすいため、風浪が大きい海域で用いるには適さず、装置自体の風浪防止性能もよくない。第三に、完全には乾燥されない。人工操作で乾燥させる場合、風浪が装置を不安定にするため、前記装置の中心を低くしなければならないので、海の風浪作用の中で海苔を完全に乾燥させることは困難である。第四に、海苔の採集を機械化して行うことができないので作業効率が低い。前記人工操作乾燥の全浮動海苔養殖方法は、海苔採集船が網ひびの底に入って海苔を収穫することができず、いかだフレームにより遮断されるので、人工採集が必要である。よって、多くの労働力を必要とするので、作業効率性が低い。また、収穫後に網ひびの海苔の長さを制御することも難しいので、次に採集する際に若い海苔と成長した海苔が混ざって海苔の品質に影響を及ぼすことがある。第五に、人工操作乾燥の網ひびは一度に水から取り出さなければならないが、重量が重いので浮動いかだの数が多くなり、操作時間が長くなるため、高い海苔養殖コストの割りに生産量は少ない。
【先行技術文献】
【特許文献】
【０００４】
【特許文献１】中国特許ＺＬ２０１３２０３５５２０７．１
【考案の概要】
【考案が解決しようとする課題】
【０００５】
本考案は、設計が合理的で、使用に便利で、柔軟性があり、乾燥効果が卓越しているだけでなく、装置の安定性が高い海苔養殖用自己乾燥装置を提案することにより、従来技術の欠点を補完することを目的とする。
【０００６】
また、本考案は、設計が合理的で、養殖コストと管理コストを低減させることができ、高品質、高生産量の海苔を成長させるのに有益な潮差自己乾燥式全浮動（full-floating）海苔養殖装置を提案することにより、従来技術の欠点を補完することを目的とする。
【０００７】
さらに、本考案は、設計が合理的で、使用に便利で、柔軟性があり、採集を機械化することができ、生産効率性が高く、養殖コストを低減させることができるだけでなく、深海や外海で養殖を行える潮差自己乾燥式養殖方法を提案することにより、従来技術の欠点を補完することを目的とする。
【課題を解決するための手段】
【０００８】
本考案において補完しようとする技術問題は、次の技術方法により実現することができる。本考案の海苔養殖用自己乾燥装置は、中空棒と、浮遊棒とを含み、前記中空棒の一端は前記浮遊棒の中間部と垂直に固定連結され、前記中空棒の他端には棒体の円周方向に沿って均一に多数の安定した中空棒の尾翼が設けられ、前記尾翼と浮遊棒間の中空棒の上方に大きな浮具が被せられ、前記大きな浮具と浮遊棒の両端間に引張ロープが設けられ、前記中空棒内に棒体の軸線に沿って前記大きな浮具と共に前記浮遊棒を引き上げる乾燥ルートケーブルが貫通して設けられることを特徴とする。
【０００９】
本考案において補完しようとする技術問題は、次の技術方法によっても実現することができる。前記海苔養殖用自己乾燥装置において、前記中空棒の棒体は、プラスチック内管と、前記プラスチック内管の外に複合させた複合材料外管とから構成され、前記プラスチック内管と複合材料外管間に泡沫層が設けられ、前記中空棒の両端に通孔を有するパイププラグが設けられる。
【００１０】
本考案において補完しようとする技術問題は、次の技術方法によっても実現することができる。前記海苔養殖用自己乾燥装置において、前記尾翼の外端の中空棒に前記中空棒の尾部及び尾翼を挿入する第１ロッククランプが設けられ、前記浮遊棒の両側の中空棒に前記浮遊棒及び中空棒の頭部を挿入する第２ロッククランプが設けられる。
【００１１】
本考案において補完しようとする技術問題は、次の技術方法によっても実現することができる。前記海苔養殖用自己乾燥装置において、前記大きな浮具の両端の中空棒に前記大きな浮具の位置を調節する位置固定クランプが設けられ、前記位置固定クランプと大きな浮具間に遮断板が設けられる。
【００１２】
本考案において補完しようとする技術問題は、次の技術方法によっても実現することができる。前記海苔養殖用自己乾燥装置において、前記浮遊棒に均一に多数の設置孔が設けられる。
【００１３】
本考案において補完しようとする技術問題は、次の技術方法によっても実現することができる。前記海苔養殖用自己乾燥装置において、前記大きな浮具には前記大きな浮具が分散することを防止する網スリーブが被せられている。
【００１４】
本考案において補完しようとする技術問題は、次の技術方法によっても実現することができる。前記海苔養殖用自己乾燥装置において、前記引張ロープが対称に設けられる。
【００１５】
また、本考案において補完しようとする技術問題は、次の技術方法により実現することができる。本考案の潮差自己乾燥式全浮動海苔養殖装置は、多数の横浮遊ロープと縦浮遊ロープとから構成された養殖網を含み、各前記縦浮遊ロープに多数の小さな浮具が設けられ、隣接する前記縦浮遊ロープ間に列間隔に応じて乾燥装置グループと網ひびグループが設けられ、各列の前記網ひびグループは前記横浮遊ロープと縦浮遊ロープに固定された多数の網ひびグループで構成され、各列の前記乾燥装置グループは多数の前述した自己乾燥装置で構成され、各前記自己乾燥装置の浮遊棒は締付装置により前記横浮遊ロープに固定され、前記養殖網の周囲の横浮遊ロープと縦浮遊ロープには多数の養殖網ルートケーブルが設けられる。
【００１６】
本考案において補完しようとする技術問題は、次の技術方法によっても実現することができる。前記潮差自己乾燥式全浮動海苔養殖装置において、前記養殖網の隣接する前記横浮遊ロープの間隔は８〜１０ｍであり、各列の前記乾燥装置グループの両側の縦浮遊ロープの間隔は３〜５ｍであり、各列の前記網ひびグループの両側の縦浮遊ロープの間隔は８〜１０ｍである。
【００１７】
さらに、本考案で補完しようとする技術問題は、次の技術方法により実現することができる。本考案の前述した海苔養殖用自己乾燥装置又は潮差自己乾燥式全浮動海苔養殖装置を採用する潮差自己乾燥式養殖方法は、養殖装置が上昇海流の逆流に沿って海水面に配置され、前記自己乾燥装置の浮遊棒が波に耐えられるように設けられ、前記養殖網の周囲及び自己乾燥装置の下方の海底に固定杭が設けられ、前記養殖網ルートケーブルが前記養殖網の下方の固定杭に固定され、前記自己乾燥装置の下方の固定杭に通孔が設けられ、前記通孔内を前記養殖網の横浮遊ロープと平行に設けられた保管ロープが貫通し、前記自己乾燥装置のうち尾翼の外端の乾燥ループケーブルと保管ロープが連結され、予め乾燥ループケーブルと保管ロープの長さを調整しておき、満潮時に前記中空棒が尾翼と引張ロープの作用下で安定性を維持し、満ち潮が来るときの浮力と波の衝撃作用下で前記中空棒の大きな浮具が押され、前記尾翼の一端の中空棒が水中の前記乾燥ルートケーブルにより引っ張られ、波が続けて前記中空棒の大きな浮具に衝撃を与えて浮遊させ、前記大きな浮具が上昇することにより前記浮遊棒の一端の中空棒を支えて前記浮遊棒及び養殖網が持ち上げられ、前記網ひびもそれに伴って上昇することにより水から遠ざかる。干潮時には、前記大きな浮具は引き潮と波の衝撃圧力下で下に向かって運動し、前記尾翼の一端の中空棒が相対的に浮遊し、前記浮遊棒及び養殖網は前記中空棒の支えがなくなり、前記網ひびは浸水する。
【考案の効果】
【００１８】
本考案は、自己乾燥装置により潮差という自然の力を利用して網ひびが徐々に水から出てきて乾燥するようにするので、人が管理や操作を行う必要がなく、時間と労働力が縮小し、管理コストも減少する。大きな浮具と乾燥ルートケーブルを共に用いて満潮時に自動で網ひびを徐々に持ち上げるため、人が網ひびを直接持ち上げて乾燥させる必要がないので、労働強度が低く、乾燥ルートケーブルを保管ループに連結して船舶上の機械の作用により保管ロープを保管することができ、潮差を用いない場合も人の力で網ひびを持ち上げて乾燥させることができ、環境条件に応じて乾燥方式を柔軟に選択することができ、海苔の成長に適した生存環境を提供することができ、海苔の品質を向上させ、生産量を増加させる。尾翼と引張ロープを設け、テイクアップ棒の安定性を強化することにより、海の波と風によりテイクアップ棒が揺れたり、水から取り出して乾燥させるという効果に影響が及んだりすることを防止する。大きな浮具と小さな浮具を設けることにより装置全体の支持及び荷役の安定性を強化し、小さな浮具を少なくすることにより養殖過程に用いる機材のコストを減少させる。養殖装置において、横浮遊ロープと縦浮遊ロープの横方向と縦方向の距離を調節し、海水が養殖網間を流れるようにすることにより、豊富な栄養素を流入させ、高品質の海苔が成長するように保障し、機械化された採集を実現し、収穫効率を向上させる。潮差自己乾燥式養殖方法において、養殖網の周囲及び自己乾燥装置の下方の海底に多数の固定杭を設けることにより、前記装置の風浪防止性能を強化し、安定性と乾燥性を向上させ、深海や外海での海苔養殖を可能にする。自然の満潮と干潮を利用して海苔養殖網の自己乾燥を実現することにより、労働強度と養殖コストを低減し、網ひびが一度上がって一度下がると網ひびを自動洗浄することができ、海苔網に珪藻、緑藻、浮遊泥が付きにくく、海苔の健康な成長が保障される。従来技術と比較して設計が合理的で、使用に便利で、養殖コストも低減され、装置の安定性と風浪防止能力が強化され、深海や外海での養殖と機械化された収穫が可能になるという利点がある。
【図面の簡単な説明】
【００１９】
【図１】本考案の構造説明図
【図２】自己乾燥装置の構造説明図
【図３】本考案の作業原理説明図
【考案を実施するための形態】
【００２０】
以下、図面を参照して本考案の例示的な実施例についてより詳細に説明するが、これらは本考案の保護範囲を限定するものではない。
【実施例１】
【００２１】
図１及び図２に示すように、海苔養殖用自己乾燥装置は、中空棒６と、浮遊棒８とを含み、中空棒６の一端は浮遊棒８の中間部と垂直に固定連結され、中空棒６の他端には棒体の円周方向に沿って均一に多数の安定した中空棒６の尾翼１５が設けられ、尾翼１５と浮遊棒８間の中空棒６の上方に大きな浮具７が被せられ、大きな浮具７と浮遊棒８の両端間に引張ロープ１２が設けられ、中空棒６内に棒体の軸線に沿って大きな浮具７と共に浮遊棒８を引き上げる乾燥ルートケーブル１０が貫通して設けられる。
【実施例２】
【００２２】
実施例１の海苔養殖用自己乾燥装置において、中空棒６の棒体は、プラスチック内管と、プラスチック内管の外に複合させた複合材料外管とから構成され、プラスチック内管と複合材料外管間に泡沫層が設けられ、中空棒の両端に通孔を有するパイププラグ１７が設けられる。
【実施例３】
【００２３】
実施例１の海苔養殖用自己乾燥装置において、尾翼１５の外端の中空棒６に中空棒６の尾部及び尾翼１５を挿入する第１ロッククランプ１６が設けられ、浮遊棒８の両側の中空棒６に浮遊棒８及び中空棒６の頭部を挿入する第２ロッククランプ９が設けられる。
【実施例４】
【００２４】
実施例１の海苔養殖用自己乾燥装置において、大きな浮具７の両端の中空棒６に大きな浮具７の位置を調節する位置固定クランプ１４が設けられ、位置固定クランプ１４と大きな浮具７間に遮断板１３が設けられる。
【実施例５】
【００２５】
実施例１の海苔養殖用自己乾燥装置において、浮遊棒８に均一に多数の設置孔１１が設けられる。
【実施例６】
【００２６】
実施例１の海苔養殖用自己乾燥装置において、大きな浮具７には大きな浮具７が分散することを防止する網スリーブが被せられている。
【実施例７】
【００２７】
実施例１の海苔養殖用自己乾燥装置において、引張ロープ１２が対称に設けられる。
【実施例８】
【００２８】
潮差自己乾燥式全浮動海苔養殖装置は、多数の横浮遊ロープ１と縦浮遊ロープ２とから構成された養殖網を含み、各縦浮遊ロープ２に多数の小さな浮具３が設けられ、隣接する縦浮遊ロープ２間に列間隔に応じて乾燥装置グループと網ひびグループが設けられ、各列の網ひびグループは横浮遊ロープ１と縦浮遊ロープ２に固定された多数の網ひび４グループで構成され、各列の乾燥装置グループは実施例１〜７に示す多数の自己乾燥装置で構成され、各自己乾燥装置の浮遊棒８は締付装置により横浮遊ロープ１に固定される。前記養殖網の周囲の横浮遊ロープ１と縦浮遊ロープ２には多数の養殖網ルートケーブル５が設けられる。
【実施例９】
【００２９】
実施例８の潮差自己乾燥式全浮動海苔養殖装置において、前記養殖網の隣接する横浮遊ロープ１の間隔は８〜１０ｍであり、各列の乾燥装置グループの両側の縦浮遊ロープ２の間隔は３〜５ｍであり、各列の網ひびグループの両側の縦浮遊ロープ２の間隔は８〜１０ｍである。
【実施例１０】
【００３０】
図３に示すように、実施例１〜７に示す海苔養殖用自己乾燥装置又は実施例８及び９に示す潮差自己乾燥式全浮動海苔養殖装置を採用する潮差自己乾燥式養殖方法は、養殖装置が上昇海流の逆流に沿って海水面に配置され、自己乾燥装置の浮遊棒８が波に耐えられるように設けられ、養殖網の周囲及び自己乾燥装置の下方の海底の全てに固定杭１８が設けられ、養殖網ルートケーブル５が養殖網の下方の固定杭１８に固定され、前記自己乾燥装置の下方の固定杭１８に通孔が設けられ、通孔内を養殖網の横浮遊ロープ１と平行に設けられた保管ロープ１９が貫通し、前記自己乾燥装置のうち尾翼１５の外端の乾燥ループケーブル１０と収容放出ロープ１９が連結され、予め乾燥ループケーブル１０と保管ロープ１９の長さを調整しておき、満潮時に中空棒６が尾翼１５と引張ロープ１２の作用下で安定性を維持し、満ち潮が来るときの浮力と波の衝撃作用下で中空棒６の大きな浮具７が押され、尾翼１５の一端の中空棒６が水中の乾燥ルートケーブル１０により引っ張られ、波が続けて中空棒６の大きな浮具７に衝撃を与えて浮遊させ、大きな浮具７が上昇することにより浮遊棒８の一端の中空棒６を支えて浮遊棒８及び養殖網が持ち上げられ、網ひび４もそれに伴って上昇することにより水から遠ざかる。干潮時には、大きな浮具７は引き潮と波の衝撃圧力下で下に向かって運動し、尾翼１５の一端の中空棒６が相対的に浮遊し、浮遊棒８及び養殖網は中空棒６の支えがなくなり、網ひび４は浸水する。
【００３１】
潮差がない場合も前記自己乾燥装置及び養殖装置を用いて人工乾燥を行うことができる。
【００３２】
前記複合材料外管には、公開されている特許文献１における調節式の環境にやさしい深海水産養殖専用支持棒を採用する。
【００３３】
中空棒６において大きな浮具７の位置を調節したり、乾燥ルートケーブル１０の引く程度を調節することにより、網ひび４の乾燥の高さ及び乾燥時間を制御することができ、大潮のときの網ひび４の乾燥時間は３〜４時間である。潮差が４〜６ｍであれば、一般に網ひび４の水上の高さは１．８ｍ以上である。棒挿入式海苔養殖装置を採用する場合、一般に１００×１００ｍ（３３畝）を１単位とすると、計１２１本の複合材料支持棒、４４本の海苔養殖網ルートケーブルが必要であり、養殖網の周囲に４４本の固定杭、４４個の大きな浮具が必要であり、養殖網に計２，５００個の小さな浮具、４００枚の海苔網（１．８×１０ｍ）が必要である。自己乾燥式全浮動海苔養殖装置を採用する場合、養殖面積１００×［１０７，１２５］ｍを１単位とすると、８８個の自己乾燥装置、１０本の海底保管ロープ、５６本の養殖網ルートケーブル、９２本の固定杭が必要であり、１２１本の複合材料支持棒、４４個の大きな浮具と１，２５０個の小さな浮具、計３２０〜４００枚の海苔網（１．８×１０ｍ）を排除することができ、使用装置が少なく、管理が少なく、時間と労働力が短縮される。
【００３４】
採集船は半潮時に網ひび４の下に入ってより便利に海苔を収穫することができ、その際に自己乾燥装置のテイクアップ棒が網ひびを持ち上げるが、水上の高さは高くないので、採集船が網ひび４の底の下に入りやすく、機械化された採集が可能であるので、収穫した海苔の含水量が多くなく、収穫効率が高い。
【図１】
0003211403.tif 000003
【図２】
0003211403.tif 000004
【図３】
0003211403.tif 000005
【手続補正書】
【提出日】平成28年9月7日(2016.9.7)
【手続補正１】
【補正対象書類名】実用新案登録請求の範囲
【補正対象項目名】全文
【補正方法】変更
【補正の内容】
【実用新案登録請求の範囲】
【請求項１】
中空棒と、浮遊棒とを含み、前記中空棒の一端は前記浮遊棒の中間部と垂直に固定連結され、前記中空棒の他端には棒体の円周方向に沿って均一に多数の安定した中空棒の尾翼が設けられ、前記尾翼と浮遊棒間の中空棒の上方に大きな浮具が被せられ、前記大きな浮具と浮遊棒の両端間に引張ロープが設けられ、前記中空棒内に棒体の軸線に沿って前記大きな浮具と共に前記浮遊棒を引き上げる乾燥ルートケーブルが貫通して設けられる
ことを特徴とする海苔養殖用自己乾燥装置。
【請求項２】
前記中空棒の棒体は、プラスチック内管と、前記プラスチック内管の外に複合させた複合材料外管とから構成され、前記プラスチック内管と複合材料外管間に泡沫層が設けられ、前記中空棒の両端に通孔を有するパイププラグが設けられる
請求項１に記載の海苔養殖用自己乾燥装置。
【請求項３】
前記尾翼の外端の中空棒に前記中空棒の尾部及び尾翼を挿入する第１ロッククランプが設けられ、前記浮遊棒の両側の中空棒に前記浮遊棒及び中空棒の頭部を挿入する第２ロッククランプが設けられる
請求項１に記載の海苔養殖用自己乾燥装置。
【請求項４】
前記大きな浮具の両端の中空棒に前記大きな浮具の位置を調節する位置固定クランプが設けられ、前記位置固定クランプと大きな浮具間に遮断板が設けられ
請求項１に記載の海苔養殖用自己乾燥装置。
【請求項５】
前記浮遊棒に均一に多数の設置孔が設けられる
請求項１に記載の海苔養殖用自己乾燥装置。
【請求項６】
前記大きな浮具には前記大きな浮具が分散することを防止する網スリーブが被せられている
請求項１に記載の海苔養殖用自己乾燥装置。
【請求項７】
前記引張ロープが対称に設けられる
請求項１に記載の海苔養殖用自己乾燥装置。
【請求項８】
多数の横浮遊ロープと縦浮遊ロープとから構成された養殖網を含み、各前記縦浮遊ロープに多数の小さな浮具が設けられ、隣接する前記縦浮遊ロープ間に列間隔に応じて乾燥装置グループと網ひびグループが設けられ、各列の前記網ひびグループは前記横浮遊ロープと縦浮遊ロープに固定された多数の網ひびグループで構成され、各列の前記乾燥装置グループは多数の請求項１ないし７のいずれかに記載の海苔養殖用自己乾燥装置で構成され、
各前記自己乾燥装置の浮遊棒は締付装置により前記横浮遊ロープに固定され、前記養殖網の周囲の横浮遊ロープと縦浮遊ロープには多数の養殖網ルートケーブルが設けられる
ことを特徴とする潮差自己乾燥式全浮動海苔養殖装置。
【請求項９】
前記養殖網の隣接する前記横浮遊ロープの間隔は８〜１０ｍであり、各列の前記乾燥装置グループの両側の縦浮遊ロープの間隔は３〜５ｍであり、各列の前記網ひびグループの両側の縦浮遊ロープの間隔は８〜１０ｍである
請求項８に記載の潮差自己乾燥式全浮動海苔養殖装置。